(57)【要約】  本発明は、本体部(12;52)と、この本体部に取り付けられたホース(20;60)とを有する掃除用機器(10;50)を提供するものであり、ホース(20;60)はコネクター(30;70)を用いて本体部(12;52)に対して取り付けられている。コネクター(30;70)は、ホース(20;60)が本体部(12;52)で保持されている第１のポジションと、掃除のために含塵空気流を本体部(12;52)へ輸送するのにホース(20;60)を使用できる第２のポジションとの間で可動となっている。コネクター(30;70)が第２のポジションにあるとき、ホース(20;60)は、本体部(12;52)の中心を通る平面内で、この本体部(12;52)から離れるよう延在する。これによって使用中の本体部(12;52)のバランスが改善される。
2007535354.tif 000002
【特許請求の範囲】
【請求項１】
本体部と、この本体部に取り付けられたホースと、を有する掃除用機器であって、
前記ホースはコネクターを用いて前記本体部に対して取り付けられており、前記コネクターは、前記ホースが前記本体部で保持されている第１のポジションと、掃除のために含塵空気流を前記本体部へ輸送するのに前記ホースを使用できる第２のポジションとの間で可動となっており、
前記コネクターが前記第２のポジションにあるとき、前記ホースは、前記本体部の中心を通る平面内で、前記本体部から離れるよう延在するようになっていることを特徴とする掃除用機器。
【請求項２】
前記コネクターが前記第２のポジションにあるとき、前記ホースは、前記本体部の重心を通る直線に沿って、前記本体部から離れるよう延在するようになっていることを特徴とする請求項１に記載の掃除用機器。
【請求項３】
前記コネクターは、前記本体部および前記ホースに対して接続された湾曲部材を具備してなることを特徴とする請求項１または請求項２に記載の掃除用機器。
【請求項４】
前記コネクターは、前記本体部に対して回動可能に接続されていることを特徴とする請求項３に記載の掃除用機器。
【請求項５】
前記湾曲部材の屈曲角度は概ね９０°であることを特徴とする請求項３または請求項４に記載の掃除用機器。
【請求項６】
前記湾曲部材の屈曲角度は１１０°から１５０°の間のものであることを特徴とする請求項３または請求項４に記載の掃除用機器。
【請求項７】
前記湾曲部材の屈曲角度は概ね１３５°であることを特徴とする請求項６に記載の掃除用機器。
【請求項８】
前記コネクターは、前記ホースが挿通するスリーブを具備してなることを特徴とする請求項１ないし請求項７のいずれか１項に記載の掃除用機器。
【請求項９】
前記ホースは、前記本体部に対して直接接続されていることを特徴とする請求項８に記載の掃除用機器。
【請求項１０】
前記ホースは、前記本体部に対して回転可能な方式で接続されていることを特徴とする請求項９に記載の掃除用機器。
【請求項１１】
前記ホースは、前記本体部に対して取り外し可能に取り付けられていることを特徴とする請求項１ないし請求項１０のいずれか１項に記載の掃除用機器。
【請求項１２】
前記コネクターが前記第１のポジションにあるとき、前記ホースは、格納のために、機器本体部の周囲に巻き付けられるようになっていることを特徴とする請求項１ないし請求項１１のいずれか１項に記載の掃除用機器。
【請求項１３】
真空掃除機であることを特徴とする請求項１ないし請求項１２のいずれか１項に記載の掃除用機器。
【請求項１４】
実質的に、図示した実施形態のいずれかを参照して説明したような掃除用機器。
【発明の詳細な説明】
【技術分野】
【０００１】
本発明は掃除用機器、特に真空掃除機(ただしこれに限定されない)に関する。
【背景技術】
【０００２】
真空掃除機は、通常、直立あるいはシリンダ型である。シリンダ型掃除機は、本体部内に空気流を引き込むためのモーターおよびファンユニットを含む本体部と、空気流から埃および塵を取り除き、処分のためにそれを保持する分離装置とからなる。この分離装置は、サイクロン機構、バッグまたはフィルターまたはそれらの組み合わせとすることができる。ホースおよび杖のアセンブリは本体部の吸入口に接続され、かつ吸引開口を有する床用具(床掃除具)の形態の付属装置が、本体部から離れた杖の端部に取り付けられ、これによって、使用者が掃除しようとする面を横切って吸引開口を移動させることが可能となっている。直立型掃除機は、通常、真空掃除機の本体部に恒常的に取り付けられた掃除機ヘッドを有し、この掃除機ヘッドは、本体部と共に、掃除される面を横切って移動させられる。だが、多くの直立型掃除機はまた、取り外し可能なすなわち切り離し可能なホースおよび杖のアセンブリ(これに対しては、たとえば床用具のような付属装置を取り付けることができる)を装着することによって、シリンダ型機器のように機能させることができる。その場合、ホースおよび杖は真空掃除機の本体部上に格納される。シリンダ型真空掃除機のホースを本体部の周りに巻き付けることによって、それを本体部上に格納することも、より一般的となってきている。
【０００３】
真空掃除機の本体部上にホースを格納するための公知の機構の欠点は、ホースと本体部との間の接続部が、格納形態または使用時形態のいずれかに適するよう設計されていることである。格納形態に好適な設計は、使用時に機器を不安定にすることがある、ホースと本体部との間の接続をもたらす。使用時形態に好適な設計では格納が困難である。
【発明の開示】
【課題を解決するための手段】
【０００４】
本発明は、本体部と、この本体部に取り付けられたホースとを有する掃除用機器であって、ホースはコネクターを用いて本体部に対して取り付けられており、コネクターは、ホースが本体部で保持されている第１のポジションと、掃除のために含塵空気流を本体部へ輸送するのにホースを使用できる第２のポジションとの間で可動となっており、コネクターが第２のポジションにあるとき、ホースは、本体部の中心を通る平面内で、本体部から離れるよう延在するようになっている掃除用機器を提供する。
【０００５】
可動コネクターを設けたことにより、機器の使用時には安定性が最大となるようホースを本体部の中心と整列させることが可能となり、しかも機器の不使用時には、ホースを本体部上に効率よく格納することが可能となる。直立型機器に関して、上記コネクターは概ね直角湾曲部を有するエルボを形成することは明らかであり、そしてシリンダ型機器に関しては、角度は概ね１３５°となる。シリンダのための好ましい構造は、ホースを本体部の周りに巻き付けることによって格納する場合に、特に有効な解決策をもたらす。
【０００６】
好ましい実施形態においては、上記コネクターはホースが挿通するスリーブを形成する。ホースは続いて本機器の本体部に対して、好ましくはコネクターの動きがホースによって許容されるよう回転可能な方式で直接接続される。これによって、上記コネクターと本体部との間に、別個のホースまたは管を配置する必要がなくなり、これによってコスト的に有利となる。
【発明を実施するための最良の形態】
【０００７】
以下、図面を参照して、本発明の実施形態について説明する。
【０００８】
図１および図２に示す真空掃除機はシリンダ型の掃除機１０である。よく知られているように真空掃除機１０は本体部１２を有し、この本体部１２はサイクロン式分離装置１４内に空気流を引き込むためのモーター(図示せず)を収容している。本体部１２は車輪１６を有するが、この車輪１６は、掃除作業中、本体部１２が、掃除される面を横切って移動することを可能とする。モーターは本体部内において車輪１６同士の間に配置される。本実施形態において示されるサイクロン式分離装置は、遠心力を用いて、塵や埃の粒子を、それが真空掃除機を通過する空気流から分離するようスピンさせる。ただし、ここに示すサイクロン式分離装置１４は、たとえばフィルター、バッグまたは二つのものの組み合わせのような、その他の分離機構で容易に置き換えることができる。分離装置の種類は本発明にとって重要なことではなく、本明細書ではこれ以上詳しくは説明しない。
【０００９】
真空掃除機１０はホース２０を有するが、このホース２０はサイクロン式分離装置１４の吸入口１８に接続されている。ホース２０は、通常、杖(図示せず)に対して取り付けられるが、この杖を用いることで、床用具(床掃除具)あるいは他の掃除用付属装置を、掃除される面を横切って移動させることができる。使用時、塵や埃は、床用具またはその他の付属装置を用いて拾い上げられ(吸い込まれ)、そして杖およびホースに沿って吸入口１８へと輸送される。塵や埃は、その後、空気流から分離させられるが、この際、空気流は、冷却のためにモーターを通過する前にサイクロン式分離装置１４内に流入させられ、その後、大気中に放出される。
【００１０】
本発明は、ホース２０と本体部１２との間の接続部に関する。ホース２０はサイクロン式分離装置１４の吸入口１８と連通するが、ホース２０を保持しかつガイドするためのコネクター３０が、本体部１２の前方端部に近接して、この本体部１２に設けられている。コネクター３０は突出アーム２２によって本体部１２上で支持されているが、この突出アーム２２は本体部１２に堅固に固定されるか、あるいは本体部１２と一体に形成されており、しかもその端部に形成された円筒形カラー２４を有する。コネクター３０およびカラー２４を共に図３に示す。
【００１１】
コネクター３０は湾曲部材３１を具備してなるが、この湾曲部材３１はカラー２４内にぴったりと嵌まるよう構成された第１の円筒形端部３２を有し、これによって第１の円筒形端部３２はカラー２４内で容易に回転できるようになっている。第１の円筒形端部３２およびカラー２４はそれゆえ共通軸線３４を有する。湾曲部材３１はまた、軸線３８を持つ第２の円筒形端部３６を有する。軸線３４,３８は角度ａで交差する。第１および第２の円筒形端部３２,３６間において、湾曲部材３１は滑らかに湾曲した経路をたどって延びている。湾曲部材３１の内部は、図１および図２に示すように、ホース２０を受け容れることができるような寸法となっている。ゆえに湾曲部材３１は、それにホース２０が挿通するスリーブの形態をとる。
【００１２】
第１の円筒形端部３２は弾性キャッチ４０を含むが、このキャッチ４０によって第１の円筒形端部３２はカラー２４内で保持されている。この接続によって第１の円筒形端部３２はカラー２４内で回転できるようになっているが、軸方向の動きはキャッチ４０が解放状態となるまで阻止される。第２の円筒形端部３６は、ホース２０をコネクター３０に対して接着するための手段を位置させるのに使用される開口部４２を含み、これによって接着処理の後、ホース２０とコネクター３０との間の相対的移動ができないようになる。
【００１３】
ホース２０と吸入口１８との間の接続は単純な摩擦嵌合であるが、これはホース２０と吸入口１８との間の相対的回転を許容する。それゆえ、ホース２０がその長手方向軸線を中心として捻られた場合、吸入口１８内に位置させられたホース２０の端部もまた、そこから分離してしまうことなく回転する。
【００１４】
コネクター３０は、カラー２４内での第１の円筒形端部３２の回動によって、図１に示すように機器の本体上にホースが格納(保持)された第１のポジションと、図２に示すように掃除のために本体部へ含塵空気を輸送するのにホースを使用できる第２のポジションとの間で可動となっている。第１のポジションでは、図１ではホース２０の一部分のみしか示していないが、ホース２０が真空掃除機１０の本体部１２の周りに格納のために巻き付けられていることが分かる。コネクター３０の形状ならびにカラー２４のポジションによって、ホース２０を本体部１２の前部の周りに整然と巻き付け、そしてその形状に追随させることが可能となり、この結果、ホース２０を格納したとき、真空掃除機はコンパクトであってかつ見た目のよいものとなる。
【００１５】
真空掃除機１０を掃除のために使用するとき、ホース２０は図１に示すその格納ポジションを解かれる。使用時ポジションは図２に示すが、この図から、ホース２０が本体部１２から概して前方に延在していることが分かる。ホース２０をこのポジションとするためには、軸線３４を中心としてカラー２４に対して第１の円筒形端部３２を単に回動させることによって、カラー２４に対してコネクター３０を動かす。これによって第２の円筒形端部３６は、軸線３８が本体部１２から直接前方に延在すると共に本体部１２の中心を通る状態となる図２に示すポジションへ動く。さらに詳しく言うと、軸線３８は車輪１６同士の間の中間点を通る垂直面内に存在する。これによって、通常使用(これには、ホース２０に対して引っ張り力を作用させる使用者が、面を横切って本体部１２を移動させることが含まれる)中に、本体部１２のバランスが保たれる。それに沿って、この引っ張り力が加えられる軸線３８を中心に位置付けることによって、機器がバランスを失う可能性が低減される。
【００１６】
軸線３８が上記本体部の重心を通るのであれば、より一層有利である。多くの場合、重心は、大体において、モーター(これが通常は真空掃除機の本体部内で最も重い構成要素である)の位置によって決定される。図示の実施形態では、モーターは、上述したように車輪１６同士の間に位置している。ゆえに、その上に軸線３８が存在する平面と、モーターの位置によって決定されるような本体部１２の重心とが整列することが好ましい。
【００１７】
コネクター３０を図１に示す第１のポジションから図２に示す第２のポジションへと動かすためには、コネクター３０をカラー２４に対して回動させるだけでよい。上述したようにホース２０はコネクター３０に接着されているので、コネクター３０の挙動は、ホース３０の、その長手方向軸線を中心とする捩じれ挙動につながる。サイクロン式分離装置１４への吸入口１８と、本体部１２に最も近接するホース２０の端部との間の簡単な接続は、吸入口１８内でのホース２０の回動によって、この捩じれ挙動を許容することを可能とする。ゆえに、コネクター３０と吸入口１８との間でホース２０に捩じれは生じない。
【００１８】
コネクター３０へのホース２０の接着およびカラー２４へのコネクター３０の軸方向の固定は、ホース２０に加えられる引っ張り力が、突出アーム２２によって本体部１２に伝達されることを意味する。使用者がホース２０を引っ張っても、軸方向の力は、コネクター３０の下流ではホースに沿って伝達されない。これは有利である。なぜなら、これによってホース２０と吸入口１８との間の接続を可能な限り簡素なものとすることができ、そしてこれによってコストが削減されるからである。ホース２０がコネクター３０(これは実質的にホース２０の関連する部分を取り巻くスリーブを形成する)の内部を通るという事実は、床用具またはその他の付属装置を支持する杖と吸入口１８との間で、単一のホースが利用できることを意味する。これによって必要な部品数が削減され、これは機器に漏れが生じるリスクを最小限に抑える。また、コネクター３０がカラー２４に対して取り外し可能に取り付けられているという事実は、キャッチ４０を解放することにより、必要ならば、パッケージング、保管あるいは障害物除去のために、ホース２０およびコネクターを一緒に本体部１２から外すことができることを意味する。
【００１９】
図１ないし図３に示すシリンダ型真空掃除機の場合、軸線３４と軸線３８との間の角度ａは、９０°よりかなり大きいが１８０°よりは小さい。ホース２０を本体部１２の周りに対称的に巻き付ける必要がある場合、理想的な角度ａは概ね１３５°であろう。だが、ホース１２を本体部１２の周りに対称的に巻き付けることが常に必要なわけではなく、それゆえ角度ａは変更可能である。図示する実施形態では、角度ａは概ね１１５°である。それに関して必要な機能を発揮させるため、コネクター３０の適合性に悪影響を及ぼすことなく、角度ａを１１０°ないし１５０°の間で変更可能であることは明白である。
【００２０】
第２実施形態を図４および図５に示す。この実施形態では、機器は直立型真空掃除機５０であり、このものは周知のとおり、モーターケーシング５３内に収容されたモーターを含む本体部５２と、サイクロン式分離装置５４と、モーターケーシング５３に対して回動可能に取り付けられた掃除機ヘッド５５とを備える。車輪５６もまた、モーターの両側でモーターケーシング５３に取り付けられている。取り外し可能なホースおよび杖のアセンブリ５７が本体部５２に配されている。掃除機５０を図４に示すように直立型掃除機として使用する場合、ホースおよび杖のアセンブリ５７は本体部５２に格納され、この結果、杖がハンドル５９を形成し、このハンドル５９を用いて掃除機５０を、掃除される面を横切って移動させることができるようになる。掃除機５０を図５に示すように床上掃除のためにシリンダモードで使用する場合、ホースおよび杖のアセンブリ５７は、公知の手法で本体部１２から外される。
【００２１】
ホースおよび杖のアセンブリ５７のホース６０は、コネクター７０を用いて本体部５２に対して取り付けられる。コネクター７０の上流側端部はホース６０の下流側端部に接続される。この接続は固定的なものとすることができ、あるいはホース６０とコネクター７０との間の相対的回転を許容するよう回転可能とすることができる。コネクター７０の下流側端部は吸入口５８を介して本体部に回動可能に接続されているが、この吸入口５８はサイクロン式分離装置５４とつながっている。コネクター７０の下流側端部と吸入口５８との間の接続は、コネクター７０が、その下流側端部を通る空気流の方向を画定する軸線を中心として吸入口５８に対して回動することを可能とする。これによってコネクター７０は、第１のポジション(このポジションでは図４に示すようにホースは本体部１２上に格納される)と第２のポジション(このポジションではホースは図５に示すように掃除のための使用可能となる)との間で動くことが可能となる。必要ならば、ホース６０をコネクター７０に対して取り外し可能に接続できる。さらに言えば、コネクター７０は吸入口５８に対して取り外し可能に接続できる。
【００２２】
コネクター７０の位置は、ホースおよび杖のアセンブリ５７が床上掃除のために解かれたとき、ホース６０が、本体部１２を二分する平面内において、この本体部から離れるよう延在するようなものである。本体部５２の重心(これは主としてモーターの位置によって表される)もまた当該平面内に存在する。この構造は、使用者がホース６０に引っ張り力を加えたとき、この力の方向が本体部５２の重心の面を通り、これによって本体部５２がその垂直軸線を中心として意図せずして回転したり、あるいはバランスを失ったりするリスクが低減されることを意味する。
【００２３】
図４から分かるようにコネクター７０は実質的に湾曲部材からなり、これは概ね９０°の角度にわたって曲がっている。それを中心としてコネクター７０が吸入口５８に対して回動する軸線は、それゆえ実質的に水平であり、一方、ホース６０は、それが格納状態にあるとき、実質的に垂直な状態にて存在している。コネクター７０は、ホース６０の延長部分を形成する単一の湾曲管として形成できる。
【００２４】
コネクター３０,７０は射出成形によってプラスチック材料から経済的に形成することが考えられる。
【００２５】
本発明を上記実施形態の正確な細部に限定することを意図していないことを理解されたい。当業者には、その変更や改変は明白であろう。たとえば、真空掃除機において使用される分離装置の種類はサイクロン式でなくてもよく、好適なタイプの分離装置を使用できる。また必要とあれば、図１ないし図３に示すタイプの巻き取り式ホース格納システムを直立型真空掃除機において使用できることも明白であろう。
【図面の簡単な説明】
【００２６】
【図１】本発明によるシリンダ型真空掃除機の斜視図であり、格納状態にあるホースを示している(分かりやすくするためホースの一部分のみを示す)。
【図２】使用状態にあるホースを示す、図１に類似の斜視図である。
【図３】図１の真空掃除機のコネクター形成部分の拡大平面図である。
【図４】本発明による直立型真空掃除機の後方斜視図であり、格納状態にあるホースを示している。
【図５】使用状態にあるホースを示す、図４に類似の斜視図である。
【符号の説明】
【００２７】
１０  掃除機
１２  本体部
１４  サイクロン式分離装置
１６  車輪
１８  吸入口
２０  ホース
２２  突出アーム
２４  カラー
３０  コネクター
３１  湾曲部材
３２  第１の円筒形端部
３４,３８  軸線
３６  第２の円筒形端部
４０  キャッチ
４２  開口部
５０  真空掃除機
５２  本体部
５３  モーターケーシング
５４  サイクロン式分離装置
５５  掃除機ヘッド
５６  車輪
５７  ホースおよび杖のアセンブリ
５８  吸入口
５９  ハンドル
６０  ホース
７０  コネクター
【図１】
2007535354.tif 000003
【図２】
2007535354.tif 000004
【図３】
2007535354.tif 000005
【図４】
2007535354.tif 000006
【図５】
2007535354.tif 000007
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
本体部と、この本体部に取り付けられたホースと、を有する掃除用機器であって、
前記ホースはコネクターを用いて前記本体部に対して取り付けられており、前記コネクターは前記本体部および前記ホースに対して接続されたエルボ形湾曲部材を具備してなり、前記コネクターは、前記ホースが前記本体部で保持されている第１のポジションと、掃除のために含塵空気流を前記本体部へ輸送するのに前記ホースを使用できる第２のポジションとの間で可動となっており、
前記コネクターが前記第２のポジションにあるとき、前記ホースは、前記本体部の中心を通る平面内で、前記本体部から離れるよう延在するようになっていることを特徴とする掃除用機器。
【請求項２】
前記コネクターが前記第２のポジションにあるとき、前記ホースは、前記本体部の重心を通る直線に沿って、前記本体部から離れるよう延在するようになっていることを特徴とする請求項１に記載の掃除用機器。
【請求項３】
前記コネクターは、前記本体部に対して回動可能に接続されていることを特徴とする請求項１または請求項２に記載の掃除用機器。
【請求項４】
前記湾曲部材の屈曲角度は概ね９０°であることを特徴とする請求項１ないし請求項３のいずれか１項に記載の掃除用機器。
【請求項５】
前記湾曲部材の屈曲角度は１１０°から１５０°の間のものであることを特徴とする請求項１ないし請求項３のいずれか１項に記載の掃除用機器。
【請求項６】
前記湾曲部材の屈曲角度は概ね１３５°であることを特徴とする請求項５に記載の掃除用機器。
【請求項７】
前記コネクターは、前記ホースが挿通するスリーブを具備してなることを特徴とする請求項１ないし請求項６のいずれか１項に記載の掃除用機器。
【請求項８】
前記ホースは、前記本体部に対して直接接続されていることを特徴とする請求項７に記載の掃除用機器。
【請求項９】
前記ホースは、前記本体部に対して回転可能な方式で接続されていることを特徴とする請求項８に記載の掃除用機器。
【請求項１０】
前記ホースは、前記本体部に対して取り外し可能に取り付けられていることを特徴とする請求項１ないし請求項９のいずれか１項に記載の掃除用機器。
【請求項１１】
前記コネクターが前記第１のポジションにあるとき、前記ホースは、格納のために、機器本体部の周囲に巻き付けられるようになっていることを特徴とする請求項１ないし請求項１０のいずれか１項に記載の掃除用機器。
【請求項１２】
真空掃除機であることを特徴とする請求項１ないし請求項１１のいずれか１項に記載の掃除用機器。
【請求項１３】
実質的に、図示した実施形態のいずれかを参照して説明したような掃除用機器。
【手続補正２】
【補正対象書類名】明細書
【補正対象項目名】０００４
【補正方法】変更
【補正の内容】
【０００４】
本発明は、本体部と、この本体部に取り付けられたホースとを有する掃除用機器であって、ホースはコネクターを用いて本体部に対して取り付けられており、コネクターは本体部およびホースに対して接続されたエルボ形湾曲部材を具備してなり、コネクターは、ホースが本体部で保持されている第１のポジションと、掃除のために含塵空気流を本体部へ輸送するのにホースを使用できる第２のポジションとの間で可動となっており、コネクターが第２のポジションにあるとき、ホースは、本体部の中心を通る平面内で、本体部から離れるよう延在するようになっている掃除用機器を提供する。
【国際調査報告】
2007535354.tif 000008
2007535354.tif 000009
2007535354.tif 000010
2007535354.tif 000011
2007535354.tif 000012